(57)【要約】【課題】  マネキン人形用スタンドとそれに用いるマネキン人形【解決手段】本発明のマネキン人形用スタンドは、スタンド本体に、マネキン人形の一部に係脱自在に係止して前記マネキン人形を傾動可能に支持する傾動支持部を有することを特徴とする。又、傾動支持部はマネキン人形の背後に位置し前記係止受部を回動軸として前記マネキン人形を前後方向に傾動可能に支持することを特徴とする。又、スタンド本体は、長手方向上下に分割され、下部の上端側が上部の下端側にスライド自在に差し込まれ、下部と上部との間には常時上部を上方に押し上げ付勢する付勢手段を有することを特徴とする。マネキン人形は、傾動支持部に接して下支えされる逆Ｖ字形状の受部を有し、この逆Ｖ字形状の受部の最奥にて傾動支持部の支持先端を受けて軸支され、逆Ｖ字形状のＶ字の開き角を傾動範囲とすることを特徴とする。【選択図】図１
2007282858.tif 000002
【特許請求の範囲】
【請求項１】
スタンド本体に、マネキン人形の一部に係脱自在に係止して前記マネキン人形を傾動可能に支持する傾動支持部を有することを特徴とするマネキン人形用スタンド。
【請求項２】
傾動支持部はマネキン人形の背後に位置し前記係止受部を回動軸として前記マネキン人形を前後方向に傾動可能に支持することを特徴とする請求項1に記載のマネキン人形用スタンド。
【請求項３】
傾動支持部は帯板状であり帯板先端縁でマネキン人形を支持することを特徴とする請求項１又は請求項２に記載のマネキン人形用スタンド。
【請求項４】
スタンドは、傾動可能範囲の任意の位置にマネキン人形を仮固定させる仮固定手段を有することを特徴とする請求項１乃至請求項３の何れかに記載のマネキン人形用スタンド。
【請求項５】
仮固定手段は、傾動支持部を貫通するようにネジ着され、先端がマネキン人形に当接する回しダイヤルを備えたネジであることを特徴とする請求項４記載のマネキン人形用スタンド。
【請求項６】
スタンド本体は、長手方向上下に分割され、下部の上端側が上部の下端側にスライド自在に差し込まれ、下部と上部との間には常時上部を上方に押し上げ付勢する付勢手段を有することを特徴とする請求項１乃至請求項５の何れかに記載のマネキン人形用スタンド。
【請求項７】
付勢手段はガススプリングであることを特徴とする請求項６に記載のマネキン人形用スタンド。
【請求項８】
スタンド本体は、上部を下部側に押し下げた際、任意の押し下げ位置に固定する位置決手段を有することを特徴とする請求項６又は請求項７に記載のマネキン人形用スタンド。
【請求項９】
スタンド本体の上部側面には、付勢手段に抗して上部を下方に押し下げる際の足掛かり手段を設けたことを特徴とする請求項６乃至請求項８の何れかに記載のマネキン人形用スタンド。
【請求項１０】
足掛かり手段は、スタンド本体の上部側面に設けられた係合穴に着脱自在に装着されたフットペダルであることを特徴とする請求項９に記載のマネキン人形用スタンド。
【請求項１１】
スタンド本体には、マネキン人形に着せられた衣装の正面側を整えるため背面側に引き寄せ集められた衣装の余り部分を挟み込む狭間部を有することを特徴とする請求項１乃至請求項１０の何れかに記載のマネキン人形用スタンド。
【請求項１２】
狭間部は帯板状の傾動支持部を屈曲形成したことを特徴とする請求項３乃至請求項１１の何れかに記載のマネキン人形用スタンド。
【請求項１３】
マネキン人形は、傾動支持部に接して下支えされる逆Ｖ字形状の受部を有し、この逆Ｖ字形状の受部の最奥にて傾動支持部の支持先端を受けて軸支され、逆Ｖ字形状のＶ字の開き角を傾動範囲とすることを特徴とする請求項１乃至請求項１２の何れかに記載のマネキン人形用スタンドに用いられるマネキン人形。
【請求項１４】
マネキン人形は、人形の全部又は部分であることを特徴とする請求項１乃至請求項１２の何れかに記載のマネキン人形用スタンドに用いられるマネキン人形。
【発明の詳細な説明】
【技術分野】
【０００１】
本発明は、マネキン人形用のスタンドとそのスタンドに用いられるマネキン人形とに関する。
【背景技術】
【０００２】
従来のマネキン人形とそれを支えるスタンドとは、マネキン人形と分離不能な一体型のスタンドやマネキン人形と分離自在な分離型スタンド本体の何れもあった。
【発明の開示】
【発明が解決しようとする課題】
【０００３】
しかし、マネキン人形と一体型のスタンドでは、分離不能な一体型であるが故に、マネキン人形の着せ替え作業にあたって、一体化されたスタンドの存在が甚だしく邪魔となっていた。
【０００４】
他方、マネキン人形と分離型のスタンドでは、スタンドを外されたマネキン人形の姿勢を保つことができないため、着せ替え作業を容易に行うことができず、人形の姿勢を支える者と着せ替えさせる者等多くの人手と手間を要していた。
【０００５】
本発明は、かかる不都合の解消を目的として、マネキン人形をスタンドで支持させた状態のままでの衣装の着せ替えを容易にする、マネキン人形用スタンド及びそのスタンドに用いるマネキン人形の提供を目的とするものである。
【課題を解決するための手段】
【０００６】
請求項１のマネキン人形用スタンドの発明は、スタンド本体に、マネキン人形の一部に係脱自在に係止して前記マネキン人形を傾動可能に支持する傾動支持部を有することを特徴とする。
【０００７】
請求項２の発明は、請求項1に記載のマネキン人形用スタンドにおいて、傾動支持部はマネキン人形の背後に位置し前記係止受部を回動軸として前記マネキン人形を前後方向に傾動可能に支持することを特徴とする。
【０００８】
請求項３の発明は、請求項１又は請求項２に記載のマネキン人形用スタンドにおいて、傾動支持部は帯板状であり帯板先端縁でマネキン人形を支持することを特徴とする。
【０００９】
請求項４の発明は、請求項１乃至請求項３の何れかに記載のマネキン人形用スタンドにおいて、スタンド本体は傾動可能範囲の任意の位置にマネキン人形を仮固定させる仮固定手段を有することを特徴とする。
【００１０】
請求項５の発明は、請求項４記載のマネキン人形用スタンドにおいて、仮固定手段は、傾動支持部を貫通するようにネジ着され、先端がマネキン人形に当接する回しダイヤルを備えたネジであることを特徴とする。
【００１１】
請求項６の発明は、請求項１乃至請求項５の何れかに記載のマネキン人形用スタンドにおいて、スタンド本体は、長手方向上下に分割され、下部の上端側が上部の下端側にスライド自在に差し込まれ、下部と上部との間には常時上部を上方に押し上げ付勢する付勢手段を有することを特徴とする。
【００１２】
請求項７の発明は、請求項６に記載のマネキン人形用スタンドにおいて、付勢手段はガススプリングであることを特徴とする。
【００１３】
請求項８の発明は、請求項６又は請求項７に記載のマネキン人形用スタンドにおいて、スタンド本体は、上部を下部側に押し下げた際、任意の押し下げ位置に固定する位置決手段を有することを特徴とする。
【００１４】
請求項９の発明は、請求項６乃至請求項８の何れかに記載のマネキン人形用スタンドにおいて、スタンド本体の上部側面には、付勢手段に抗して上部を下方に押し下げる際の足掛かり手段を設けたことを特徴とする。
【００１５】
請求項１０の発明は、請求項９に記載のマネキン人形用スタンドにおいて、足掛かり手段は、スタンド本体の上部側面に設けられた係合穴に着脱自在に装着されたフットペダルであることを特徴とする。
【００１６】
請求項１１の発明は、請求項１乃至請求項１０の何れかに記載のマネキン人形用スタンドにおいて、スタンド本体には、マネキン人形に着せられた衣装の正面側を整えるため背面側に引き寄せ集められた衣装の余り部分を挟み込む狭間部を有することを特徴とする。
【００１７】
請求項１２の発明は、請求項３乃至請求項１１の何れかに記載のマネキン人形用スタンドにおいて、狭間部は帯板状の傾動支持部を屈曲形成したことを特徴とする。
【００１８】
請求項１３の発明は、請求項１乃至請求項１２の何れかに記載のマネキン人形用スタンドに用いられるマネキン人形において、マネキン人形は、傾動支持部に接して下支えされる逆Ｖ字形状の受部を有し、この逆Ｖ字形状の受部の最奥にて傾動支持部の支持先端を受けて軸支され、逆Ｖ字形状のＶ字の開き角を傾動範囲とすることを特徴とする。
【００１９】
請求項１４の発明は、請求項１乃至請求項１３の何れかに記載のマネキン人形用スタンドに用いられるマネキン人形において、マネキン人形は人形の全部又は部分であることを特徴とする。
【発明の効果】
【００２０】
請求項１乃至請求項１３の各発明によれば、何れも、マネキン人形がスタンドに支持された状態のまま極めて容易に所望の状態に傾動させることができるので、一人にても衣装の着せ替え作業を容易に行うことができる。
【００２１】
請求項３の発明によれば、スタンド本体の傾動支持部にマネキン人形の係止受部を単に載せ置くだけで、マネキン人形をスタンドに手軽に係止させることができると共に、帯板先端縁と係止受部との接線を傾動の回動軸とすることができるので複雑な軸受を構造を要しない。
【００２２】
請求項４、請求項５の発明によれば、仮固定手段にて、傾動範囲内の任意の傾動角にマネキン人形を姿勢付ける事が出来る。
【００２３】
請求項６又は請求項７の発明によれば、何れも、スタンド本体の高さを上下動させることができるので衣装の着せ替え作業が容易となる。
【００２４】
請求項８の発明によれば、マネキン人形を任意の高さ位置に設定することができる。
【００２５】
請求項９、請求項１０の発明によれば、何れも、足を使って足掛かり手段を踏み込むことによりマネキン人形の高さ位置をスタンド本体の付勢手段による付勢力に抗して比較的容易に押し下げることができる。
【００２６】
請求項１０の発明によれば、足掛かり手段は必要の際にのみスタンドに軽視して用い、不要の際にはスタンドから除去することができる。
【００２７】
請求項１１、請求項１２の発明によれば、マネキン人形に着せた衣装の姿を、小道具を使うことなく、比較的容易に調えることができる。
【００２８】
請求項１３、請求項１４の発明によれば、マネキン人形を傾動自在に係止させるスタンドに用いるマネキン人形として、スタンドへの係止が容易で、係止手段の構成が単純なマネキン人形を提供できる。
【発明を実施するための最良の形態】
【００２９】
本発明の最良の形態を示すマネキン人形用スタンドとそれに用いられるマネキン人形とを、以下の実施例に基づいて説明する。
【実施例】
【００３０】
実施例は、高さ調節可能なマネキン人形用スタンドとそれに用いられるマネキン人形であり、図１乃至図６に基づいて説明する。
図１はスタンドの縦断面図、図２はスタンドの高さを最下限とした状態の付勢手段と位置決手段との拡大断面図、図３は足掛かり手段の部分拡大説明図、図４は係止受部と傾動支持部との拡大構造図、図５はスタンドの高さを最下限とした状態の斜視図、図６はスタンドの高さを最下限とした状態の側面図である。
【００３１】
図１において、図中の符号１０はスタンド本体である。このスタンド本体１０は基部１１と柱部１２とからなり、柱部１２は更に長手（高さ）方向上下に分割されて、上部１２１と下部１２２とからなる。この下部１２２の上端側は、上部１２１の下端側にスライド自在に軸方向に差し込まれている。
【００３２】
スタンド本体１０の下部１２２と上部１２１との間の、スタンド本体１０内には付勢手段としてのガススプリング２０が内設されており、常時、下部１２２と上部１２１とを引き離すように、即ち、上部１２１を上方に押し上げ付勢する状態で、ガススプリング２０の伸張方向の一端を上部１２１の内部上端に、他端のピストンロット側を下部１２２の内部の適所に連結している。
これによって、スタンド本体１０の高さ調節に当っては、上部１２１を上方にスライドさせる際に作業従事者の労力を軽減させることができる。
【００３３】
スタンド本体１０はその上部１２１と下部１２２とを内径の異なる角材を用いて、差し込んだ状態でのスライドを可能としている。このような角材（パイプ）を用いることによって、スタンド本体１０の上部１２１が、スタンド軸を中心に軸方向に回転することを単純に阻止することができる。
従って、適当な手段を用いてこの軸方向回転を阻止する手段を施すか、軸方向回転の虞のない構造であれば、丸材（丸パイプ）を用いて柱部１２を構成してもよい。
【００３４】
尚、この実施例では、付勢手段としてガススプリング２０を用いているが、これに限らず、同様の機能を発揮する他の適当な手段を用いてもよい。
【００３５】
図中の符号３０はスタンド本体１０の決定された高さ位置を固定するための位置決手段である。これによりスタンド本体１０を所望の高さに設定できる。
即ち、スタンド本体１０の上部１２１を下部１２２側に押し下げる際、任意の押し下げ位置、即ち、下部１２２に対しての上部１２１の位置を固定する。
【００３６】
図１及び図２に示すように、位置決手段３０は、上部１２１の外側から内側に向けて貫通するようにねじ込まれた２つの蝶ネジ３１，３２で構成されている。
図２において、この２つの蝶ネジ３１，３２をネジ込むことにより、蝶ネジ３１，３２の先端が、上部１２１側に差し込まれた下部１２２の側面に当接して押圧する。これにより、上部１２１と下部１２２とが、付勢手段２０の突っ張り付勢力に抗して、スライド不能に固定されて、柱部１２の高さが固定される。図２は上部１２１を最下限に下ろして固定した状態を示す図である。
【００３７】
尚、この実施例では、位置決手段３０として蝶ネジ３１，３２を用いているが、これに限らず、同様の機能を発揮する他の適当な手段を用いてもよい。
【００３８】
再び図１において、スタンド本体１０の上部１２１の側面の下端側には、付勢手段２０の突っ張り力に抗して上部１２１を下方（下部１２２側）に押し下げる際の掛かり部となる足掛かり手段４０を、着脱自在に設けている。
【００３９】
図３において、この足掛かり手段４０は、スタンド本体１０の上部１２１側面に突設された係合穴４１と、この係合穴４１に抜き差し自在に嵌り合う係合部４２を備えたフットペダル４２とで構成されており、足掛かり手段４０はスタンド本体１０（上部１２１）に必要に応じて着脱自在に装着する。
【００４０】
足掛かり手段４０を着脱自在に設けることによって、手掛かりを得難いスタンド本体１０の上部１２１の押し下げを手を使わず、足を使って従事者の体重を掛けて行うことができるので、非力な女性従事者であっても、マネキン人形５０（図１）への衣装の着せ替え作業を比較的容易に行うことできる。
【００４１】
又、この足掛かり手段４０は、必要に応じてスタンド本体１０に装着すればよく、常時には装着しないようにもできるので、マネキン人形５０（図１）への衣装の着せ替え作業の邪魔とならない、という利点がある。
【００４２】
尚、この実施例では、足掛かり手段としてフットぺダル４０を用いているが、これに限らず、同様の機能を発揮する他の適当な手段を用いてもよい。
【００４３】
図１、図２及び図４において、スタンド本体１０の上部１２１の先端側に、マネキン人形５０を傾動可能に支持する傾動支持部６０を設けている。
傾動支持部６０は、マネキン人形５０の背後に位置して、マネキン人形５０の一部、この例では、背の中央部に係脱自在に係止して、図４の実線と想像線とで示すようにマネキン人形５０を前後方向に傾動可能に支持している（図６参照）。
【００４４】
図４において、実施例の傾動支持部６０は、図５の斜視図からも分るように、帯板状部材で構成されており、その上端である帯板先端縁６１で、マネキン人形５０を傾動自在に支持する。
マネキン人形５０の背中側には、この帯板先端縁６１を受け止める係止受部７０が設けられており、前記帯板先端縁６１を回動（傾動）軸としている
即ち、マネキン人形５０の背中側には、背中を下方に向けて窪ませた背凹部５１がて形成されており、この背凹部５１に傾動支持部６０の帯板先端縁６１に線接触して接し、下支えされる逆Ｖ字形状の受部７０が形成されて排泄されている。
【００４５】
この受部７０の内部上端即ち逆Ｖ字形状の受部７０の最奥、三角の頂点部分に、宛がわれるように挿入された傾動支持部６０の支持先端６１を受けて、軸支されている。
そして、この受部７０の逆Ｖ字形状のＶ字の開き角が、マネキン人形５０の傾動範囲として規制される。
【００４６】
この実施例のように、傾動支持部６０及び係止受部７０を構成することによって、比較的重いマネキン人形５０であっても、その係止受部７０をスタンド本体１０の傾動支持部６０に単に載せ置く手間だけで、手軽に係止させることができる。
又、帯板先端縁６１と係止受部７０との接線を傾動の回動軸とすることができるので複雑な軸受を構造を要しない。
更に又、マネキン人形５０をスタンド本体１０に支持させた状態のまま極めて容易に所望の角度や状態に傾動させることができるので、一人にても衣装の着せ替え作業を容易に行うことができる。
【００４７】
尚、この実施例では、傾動支持部６０として帯板状部材を用い、係止受部７０として逆Ｖ字形状の受部７０を用いているが、何れもこれに限らず、要はマネキン人形５０を傾動自在且つ容易にスタンド本体１０に係止できる構成であればよい。
【００４８】
図４において、スタンド本体１０には、図示の実施例では傾動支持部６０に、マネキン人形５０をその傾動可能な範囲の任意の位置にて仮固定させる仮固定手段８０が設けられている。
【００４９】
図示の仮固定手段８０は、傾動支持部６０の帯板部材を貫通するネジ穴にネジ着され、ネジ８１の先端が、受部７０の貫通穴を素通りして、マネキン人形５０の所要部（図示せず）に当接するように進退させる回しダイヤル８２を備えている。
【００５０】
尚、この実施例では、仮固定手段８０として回しダイヤル付のネジ８０を用いているが、これに限らず、仮固定可能な手段であれば、他の適当な手段を用いてもよい。
【００５１】
図１及び図４において、スタンド本体１０には、図示の実施例では傾動支持部６０には、マネキン人形５０に着せられた衣装の正面側を整えるために背面側に引き寄せ集められた衣装の余り部分を挟み込むための狭間部６２が設けられている。図示の狭間部６２は帯板部材の傾動支持部６０を延在方向に適宜屈曲させて、図においてＵ字形、或いは逆Ｕ字形の狭間を形成させてある。
尚、傾動支持部６０を帯板部材とすることによって、このような狭間部６２を容易に設けることができる。
【００５２】
上記のマネキン人形５０は、頭部と足部とが無い半身型であるがこれに限らず全身型であってもよく、人形の全部又は部分であるとを問わない。
又、スタンド本体１０の柱部１２を上下に分割のスライド構造としたが、必ずしもスライド構造とする必要はなく、伸縮不能の構成であってもよい。但し、この場合、スライド構造を前提とする構成は無用となる。
【産業上の利用可能性】
【００５３】
本発明は、全身或いは半身のみならず、身体の一部、或いは、身体に限らず、広く展示物を支持するスタンドとして広く適用することができる。
【図面の簡単な説明】
【００５４】
図１はスタンドの縦断面図、図２は高さを最下限とした状態の付勢手段と位置決手段との拡大断面図、図３は足掛かり手段の部分拡大説明図、図４は係止受部と傾動支持部との拡大構造図、図５は高さを最下限とした状態の斜視図、図６は高さを最下限とした状態の側面図である。
【図１】スタンドの縦断面図である。
【図２】スタンドの高さを最下限とした状態の付勢手段と位置決手段との拡大断面図である。
【図３】足掛かり手段の部分拡大説明図である。
【図４】係止受部と傾動支持部との拡大構造図である。
【図５】スタンドの高さを最下限とした状態の斜視図図である。
【図６】スタンドの高さを最下限とした状態の側面図である。
【符号の説明】
【００５５】
１０    スタンド本体
１２    柱部（スタンド本体）
１２１  上部（スタンド本体）
１２２  下部（スタンド本体）
２０    ガススプリング（付勢手段）
３０    位置決手段
４０    足掛かり手段（フットペダル）
５０    マネキン人形
６０    傾動係止部
６１    帯板先端縁
７０    係止受部（受部）
８０    仮固定手段
【図１】
2007282858.tif 000003
【図２】
2007282858.tif 000004
【図３】
2007282858.tif 000005
【図４】
2007282858.tif 000006
【図５】
2007282858.tif 000007
【図６】
2007282858.tif 000008